(57)【要約】  運動装置（１）はアーム支持手段（１７、１８、１９）を設けたクロスバー（５）に連結された少なくとも１つの垂直部材（３）を備える。垂直部材（３）の使用時に、使用者がクロスバー（５）の真下に位置する時に該使用者の脚の真下に位置づけられ、かつ該脚を支持する脚支持手段をアーム支持手段（１７、１８、１９）が備えるように、クロスバー（５）が床から十分に間隔を置かれるような長さから成る。クロスバー（５）も、練習装置（１）が使用者の体重の少なくとも幾分かを支持するように、使用者が該練習装置を押し下げ可能にする握り手段を備えるように床から十分に間隔を置かれる。アーム支持手段（１７、１８、１９）は、クロスバー（５）の長手方向軸線に沿って相対的に離隔された２つのアーム支持部（１７、１９）を備える。クロスバー（５）には、２つのアーム支持部（１７、１９）間に第３アーム支持部（１８）が設けられる。
2007515971.tif 000002
【特許請求の範囲】
【請求項１】
肢支持手段を設けたクロスバーに結合された少なくとも１つの垂直部材を備える運動装置であって、
前記肢支持手段の使用時に使用者が前記クロスバーの真下に位置する時に使用者の脚の真下に位置づけられ、かつ使用者の脚を支持する肢支持手段を備えるように、前記垂直部材は前記クロスバーが床から十分に所定の間隔をおいて配置されるような長さから成り、
前記肢支持手段の使用時に前記運動装置が使用者の体重の少なくとも幾らかを支持するように使用者が前記運動装置を押し下げることを可能にする握り手段を備えるように、前記クロスバーも床から十分に所定の間隔をおいて配置され、
前記肢支持手段は前記クロスバーの中央に位置づけられた凹部肢支持部を備え、
使用時の前記運動装置は、床に載る基体部分を備える少なくとも１つの垂直部材、及び、前記基体部分及び前記床から離れて延在するアーム部分を更に備え、
前記クロスバーは前記基体部分から離れた位置で前記アーム部分に結合され、
前記アーム部分の前記基体部分に対する配向は、前記クロスバーが使用時に前記第２状態で前記床に隣接するように前記運動装置が約９０°に亘って回転されてきた、第２状態で使用可能なようなものである運動装置。
【請求項２】
前記肢支持手段は、前記クロスバーの長手方向軸線に沿って所定の間隔をおいて配置された２つの他の肢支持部を備える、請求項１に記載の運動装置。
【請求項３】
前記運動装置は、２つの離隔配置された垂直部材を備え、
前記他の肢支持部の各々はそれぞれの垂直部材に隣接する、請求項１または請求項２に記載の運動装置。
【請求項４】
前記クロスバーには該クロスバーの長手方向軸線に沿って所定の間隔をおいて配置された少なくとも２つの付加的肢支持部が更に設けられるが、これらの付加的肢支持部は前記クロスバーの長手方向軸線から直角に離れて延在する、請求項２または請求項３に記載の運動装置。
【請求項５】
前記付加的肢支持部は、前記垂直部材から所定の間隔をおいて配置されるように２つの前記他の肢支持部間に位置づけられる、請求項４に記載の運動装置。
【請求項６】
前記付加的肢支持部は、その長手方向軸線がそれぞれの前記付加的肢支持部の長手方向軸線に対して実質的に直角に延在する更なる肢支持部に終端する、請求項４または請求項５に記載の運動装置。
【請求項７】
前記運動装置は、作動して更なる前記肢支持部のそれぞれの前記付加的肢支持部に対する配向を変更する調節手段を備える、請求項６に記載の運動装置。
【請求項８】
前記調節手段は、更なる前記肢支持部がそれぞれの前記付加的肢支持部の長手方向軸線の回りで３６０°に亘って回転し得るように作動する、請求項７に記載の運動装置。
【請求項９】
前記調節手段は、更なる前記肢支持部の配向が前記付加的肢支持部に対する複数の別個の位置に調節し得るように作動する、請求項７または請求項８に記載の運動装置。
【請求項１０】
前記調節手段は、前記付加的肢支持部又は更なる前記肢支持部の一方に形成したプラグ、及び前記付加的肢支持部又は前記肢支持部の他方のソケットを備え、
前記ソケットは、使用時に、前記プラグを受容し、かつ前記ソケットに対する配向に前記プラグを保持すべく該プラグに係合し、
前記配向は前記ソケットから前記プラグを取り除き、かつ異なる配向の前記ソケットに前記プラグを再挿入することによって調節可能である、請求項７から請求項９までのいずれか１項に記載の運動装置。
【請求項１１】
前記プラグ及び前記ソケットは、前記プラグを４つの別個の配向の１つの配向の前記ソケット内に受容し得るように、両方とも正方形断面から成る、請求項１０に記載の運動装置。
【請求項１２】
２つの前記他の肢支持部は使用者の肢を前記肢支持部に確実に位置づけるように凹面である、請求項２から請求項１１までのいずれか１項に記載の運動装置。
【請求項１３】
２つの前記他の肢支持部及び前記第３凹部肢支持部は共に波形形成物から成る、請求項１２に記載の運動装置。
【請求項１４】
前記垂直部材及び前記クロスバーは前記運動装置が折り畳み可能であるように移動可能に互いに結合される、請求項３から請求項１３までのいずれか１項に記載の運動装置。
【請求項１５】
前記アーム部分は前記基体部分の一端部から該基体部分の中間位置より実質的に上の位置まで離れるように延在する、請求項１から請求項１４までのいずれか１項に記載の運動装置。
【請求項１６】
前記アーム部分は前記基体部分から傾斜している、請求項１５に記載の運動装置。
【請求項１７】
前記アーム部分と前記基体部分間の角度は３０°〜９０°である、請求項１６に記載の運動装置。
【請求項１８】
前記角度は実質的に４５°である、請求項１７に記載の運動装置。
【請求項１９】
前記基体部分又は各基体部分には握りが設けられる、請求項１から請求項１８までのいずれか１項に記載の運動装置。
【請求項２０】
それぞれの前記基体部分に対する各握りの前記配向は調整可能である、請求項１９に記載の運動装置。
【請求項２１】
各握りの配向は、それぞれの前記基体部分に対する前記握りの長手方向軸線を、前記基体部分の長手方向軸線に直角な軸線の回りで回転させることにより調整可能である、請求項２０に記載の運動装置。
【請求項２２】
各握りの前記配向は複数の別個の位置に調整可能である、請求項２０または請求項２１に記載の運動装置。
【請求項２３】
各握りの前記配向は４つの別個の位置に調整可能である、請求項２２に記載の運動装置。
【発明の詳細な説明】
【技術分野】
【０００１】
本発明は運動装置に関し、及び排他的ではないが特に、単一の使用者が人体の主要及び主要でない筋肉を鍛えるための自由直立運動装置に関する。
【背景技術】
【０００２】
人体の上半身の状態を改善すべく使用者が多数回の運動を行うことを可能にする装置を提供することが以前から提案されてきた。こうした従来の装置はかなり大きく、複雑であり、高価であり、及び扱いにくいものであり、従って、使用者が運動することを所望し得る複数の異なる運動に必ずしも適切ではなかったはずであった。
【発明の開示】
【課題を解決するための手段】
【０００３】
本発明の第１態様によれば、肢支持手段を設けたクロスバーに結合された少なくとも１つの垂直部材を備える運動装置が提供される。垂直部材は、使用時に、前記手足支持手段が、使用者がクロスバーの真下に位置する時に使用者の脚の真下に位置づけられ、かつ使用者の脚を支持する脚支持手段を備えるような長さから成る。クロスバーも、使用時に、手足支持手段が、運動装置が使用者の体重の少なくとも幾らかを支持するように、使用者が運動装置を押し下げることを可能にする握り手段を備えるように、床から十分な間隔をおいて配置される。
【０００４】
好ましくは、アーム支持手段は、クロスバーの長手方向軸線に沿って相対的に所定の間隔をおいて配置された２つの支持部を備える。
【０００５】
好ましくは、クロスバーには２つの前記支持部間内に第３アーム支持部が設けられる。
【０００６】
好ましくは、運動装置は２つの離隔配置された垂直部材を備える。
【０００７】
好ましくは、各アーム支持部はそれぞれの垂直部材に隣接する。
【０００８】
好ましくは、クロスバーには該クロスバーの長手方向軸線に沿って相対的に所定の間隔をおいて配置された少なくとも２つの付加的アームが更に設けられるが、この付加的アームはクロスバーの長手方向軸線から直角方向に離れて延在する。
【０００９】
好ましくは、付加的アーム支持部は、垂直部材から所定の間隔をおいて配置されるように２つの他のアーム支持部間に位置づけられる。
【００１０】
好ましくは、各付加的アーム支持部は、その長手方向軸線がそれぞれの付加的支持部の長手方向軸線に対して実質的に直角に延在する更なるアーム支持部に終端する。
【００１１】
好ましくは、運動装置は、作動して更なるアーム支持部のそれぞれの付加的アーム支持部に対する配向を変更する調節手段を備える。
【００１２】
好ましくは、調節手段は、更なるアーム支持部がそれぞれの付加的アーム支持部の長手方向軸線の回りで３６０°に亘って回転し得るように作動する。
【００１３】
好ましくは、調節手段は、更なるアーム支持部の配向が付加的アーム支持部に対する複数の別個の位置に調節し得るように作動する。
【００１４】
好ましくは、調節手段は、付加的又は更なる手足支持部の一方に形成したプラグ、及び付加的又は手足支持部の他方のソケットを備える。ソケットは、使用時に、プラグを受容し、かつソケットに対する配向にプラグを保持すべく該プラグに係合する。配向はソケットからプラグを取り除き、かつ異なる配向のソケットにプラグを再挿入することによって調節可能である。
【００１５】
好ましくは、プラグ及びソケットは、両方とも、プラグが４つの別個の配向の１つの配向のソケット内に受容し得るように正方形断面から成る。
【００１６】
好ましくは、肢支持部は使用者の手足を肢手足支持部に確実に位置づけるように凹面である。従って、２つの肢支持部及び第３肢支持部は共に波形形成層から成る。
【００１７】
好ましくは、垂直部材及びクロスバーは運動装置が折り畳み可能であるように移動可能に互いに結合される。
【００１８】
しかしながら、垂直部材及びクロスバーは、別様に、単一で、一体的な、折り畳み可能でない運動装置を備え得る。
【００１９】
好ましくは、前記垂直部材又は各垂直部材は、クロスバーが基体部分から遠位位置にあるアーム部分に結合される、第１状態における、使用時に、床、及び、基体部分及び床から離れて延在するアーム部分に載る基体部分を備える。
【００２０】
好ましくは、アーム部分は基体部分の一端部から該基体部分の中間位置より実質的に上の位置まで離れるように延在する。平面で視た時、基体部分は、運動装置が使用時に転倒するのに抗すべく、運動装置に安定性を与えるようにクロスバーの長手方向軸線の両側から離れるように延在する。
【００２１】
好ましくは、各アーム部分のそれぞれの基体部分に対する配向は、クロスバーの使用時に該クロスバーが床に隣接するように運動装置が約９０°に亘って回転する第２状態で使用可能であるようなものである。
【００２２】
好ましくは、アーム部分は基体部分から傾斜している。
【００２３】
好ましくはアーム部分と基体部分間の角度は３０°〜９０°である。最も好ましくは、この角度は実質的に４５°である。あるいは、アーム部分は基体部分から実質的に直角に延在する。アーム部分は曲げ得る。
【００２４】
好ましくは、各基体部分には握りが形成される。
【００２５】
好ましくは、それぞれの基体部分に対する各握りの配向は調整可能である。
【００２６】
好ましくは、各握りの配向は、それぞれの基体部分に対する握りの長手方向軸線を基体部分の長手方向軸線に直角な軸線の回りで回転させることにより調整可能である。
【００２７】
好ましくは、各握りの配向は複数の別個の位置に調整可能である。最も好ましくは、各握りの配向は４つの別個の位置に調整可能である。
【００２８】
本発明の他の態様は、本願明細書に言及した特徴又は限定の何れかの組合せを含み得る。
【００２９】
本発明は様々な態様で実施し得るが、添付図面のみを参照して本発明の実施形態を例示的に説明する。
【発明を実施するための最良の形態】
【００３０】
図１及び図２を参照すると、運動装置１は、単一の、実質的に水平なクロスバー５によって一緒に結合された２つの離隔配置された実質的に鉛直な垂直部材３を備える。何れか他の適切な材料も別様に使用し得るが、垂直部材３及びクロスバー５は管状の金属材料から作られる。
【００３１】
各垂直部材３は、２つの端部９、１１を有する水平基体部分７、及び水平基体部分７の端部９から上向きに延在するアーム部分１３を備える。各垂直部材３のアーム部分１３は、水平基体部分７に対して傾斜しており、かつアーム部分１３の遠位端部１４が基体部分７の２つの端部９、１１間の中間より実質的に上の位置に終端するような長さからなる。ブレース１５は、アーム部分１３の遠位端部１４と、水平基体部分７の２つの端部９、１１間の中ほどの点と、の間に延在する。
【００３２】
各垂直部材３の端部１１にはハンドル８が設けられる。
【００３３】
各アーム部分１３の遠位端部１４には、クロスバー５の端部を受容するように構成された内側に向けられたソケット１６が設けられる。
【００３４】
クロスバー５は、３つの凹部領域１７、１８、１９を形成するようにその長手方向に沿って湾曲された細長棒を備える。クロスバー５は、このように、その長手方向軸線に沿った波形に類似している。凹部領域１７及び１８間の交差部、及び凹部領域１８及び１９間の交差部には、各々、クロスバー５の長手方向軸線から離れるように直角に延在する短ビーム２０、２１が設けられる。
【００３５】
凹部領域１７、１８、１９、及び短ビーム２０、２１の各々は、運動装置１の使用者の一部を支持するアーム支持手段を構成するアーム支持部を備える。
【００３６】
運動装置１を組み立てるために、クロスバー５の両端部は、垂直部材３のアーム部分１３上に設けたソケット１６内に挿入される。ボルト又は割りピンのような固定手段２２がソケット１６のクロスバー５の両端部を固定するために設けられる。
【００３７】
さらに、クロスブレース２３が設けられ、かつ運動装置１を更に強化すべく垂直部材３の基体部分７間に延在する。各クロスブレース２３の両端部はそれぞれの基体部分７を部分的に受容するように寸法付けられたカップ状領域２５に終端する。ボルト又は割りピンのような何れか適切な固定手段２５が基体部分７間のクロスブレース２３を固定すするために設け得る。従って、運動装置１は折り畳み可能であり、かつ、運動装置１が相対的に平坦な条件で収納できるように、上述の手順を逆にすることによって分解し得る。
【００３８】
組立時、クロスバー５は、垂直部材３の基体部分７から所定の間隔をおいて配置され、かつ運動装置１が配置される表面からこうして間隔をおいて配置される。運動装置１が床のような平坦な表面で使用されるであろうと考えられる。詰め物がしてある運動マットは、平坦な表面と運動装置１間に設け得る。
【００３９】
アーム部分１３は、運動装置１の使用者が垂直部材３とクロスバー５の真下と、の間に横たわり得るに十分な距離だけ、基体部分７から離れるように延在することが分かるであろう。しかしながら、クロスバー５は、該クロスバー５が平均的な使用者の腰高付近に設置されるように、該使用者が該クロスバー５に隣接して立つことができるに十分なだけ、基体部分７から間隔をおいて配置される。
【００４０】
背中外側、肩及び二頭筋の筋肉を鍛えるために、使用者は、クロスバー５の外側凹部領域１７、１９を自身の手で把持した状態で、クロスバー５の真下に横たわり得る。使用者の手はこうして比較的幅拡グリップで離隔され、かつ垂直部材３に隣接する。使用者は自身の上半身をクロスバー５に近接及び離間させるように引っ張ることができる。
【００４１】
背中内側、肩及び二頭筋の筋肉を鍛えるために、使用者は、クロスバー５の内側凹部領域１８を自身の手で把持した状態ではあるが、クロスバー５の真下に横たわり得る。使用者の手はこうして垂直部材３から離れた比較的幅狭グリップで一緒に閉じられる。再び、使用者は自身の上半身をクロスバー５に近接及び離間させるように引っ張ることができる。
【００４２】
腹筋を鍛えるために、使用者は、自身の膝の裏側をそれぞれの凹部領域１７及び１９に載せた状態で運動装置１に隣接させて横たわる。使用者の上半身及び衣服はクロスバー５の一側に位置づけられ、かつ下脚はクロスバー５の他側に位置づけられる。使用者は起き上がるタイプの運動を行うようにクロスバー５に近接及び離間させるように自身の上半身を曲げることができる。
【００４３】
胸、肩及び二頭筋の筋肉を鍛えるために、運動装置に隣接且つ面して立ち、かつ自身の手で外側凹部領域１７、１９を把持する。使用者は、この時、自身の上半身をクロスバー５に向けて下降させ得る。これは、床上又は床から離れた使用者の足で達成し得る。
【００４４】
最終的に、三頭筋を鍛えるために、使用者は運動装置に隣接するが運動装置に対して自身の背を向けた状態で立ち、かつ自身の手で外側凹部領域１７、１９を把持することができる。自身の手を曲げることで、使用者は自身の上半身をクロスバー５に向けて下降させる。
【００４５】
こうして、運動装置１は、使用者がクロスバーより上に立つか又は下に横たわることができるような高さで手及び足に対する複数の支持部を設けることによって、複数の異なる運動を行うためにコンパクトで、単純で、強力な装置を提供する。
【００４６】
図３は、図１及び図２の装置に類似した形状構成を有するが、Ｃ字形状基体部分７´に取り付けられた単一の、中央に設置された垂直部材１３´を設けた別の運動装置１´を示す。
【００４７】
図４及び図５を参照すると、別の運動装置３１が類似した参照符号を与えられた類似した形状構成を有して示されている。この実施形態では、ハンドル３３はそれぞれの基体部分７と実質的に平行であるように基体部分７の両端部に取り付けられる。これは、各基体部分７の端部に形成された上向きに延在するソケット３７内に受容される下向きに延在するプラグ３５を形成するために９０°に亘って曲げた各ハンドル３３の一部によって達成される。プラグ３５及びソケット３７は、ハンドル３３がソケット３７の長手方向軸線の回りに３６０°に亘って回転することができるようなものである。これはハンドル３３が基体部分７と平行になり、かつ垂直部材３に近接又は離間するかの何れかで延在するか、あるいは基体部分７に直角にかつ他の基体部分７に近接又は離間するように延在することを可能にする。これはソケット３７を正方形内部断面を有するように構成することによって達成し得る。プラグ３５は相補的正方形断面を有する。何れか他の適切な断面を別様に使用し得た。ハンドル３３の異なる位置が想像線で示されている。
【００４８】
運動装置３１のクロスバー３９は中央凹部領域１８及び２つの外側にある実質的な直線領域４１、４３を備える。各外側の領域４１、４３は、クロスバー３９の長手方向軸線に対して９０°に位置づけられ、かつクロスバー３９を垂直部材３に取り付けるためにそれぞれの垂直部材３の頂部に受容される、領域４５、４７のそれぞれに終端する。
【００４９】
凹部領域１８と各直線領域４１間の交差部には、クロスバー３９の長手方向軸線から離れるように直角に延在するそれぞれの短ビーム４９、５１がある。ハンドル５３、５５は各短ビーム４９、５１の端部に設けられる。各ハンドル５３、５５はそれぞれのビーム４９、５１の軸線回りで３６０°だけ回転可能である。これは、クロスバー３９の長手方向軸線に対するハンドル５３、５５の配向を調節可能にする。
【００５０】
この調節を行うために何れか適切な調整手段を設け得る。例えば、ハンドル５３、５５は各短ビーム４９、５１の端部におけるの正方形断面内に受容すべく正方形断面から構成し得る。別様に、ハンドル５３、５５はそれぞれの短ビーム４９、５１の円形断面部分に亘って摺動又は該円形断面部分内に受容されるべく円形断面から構成し得る。グラブスクリュー又はアレンボルト等はそれぞれの短ビーム４９、５１に対する特別な配向でハンドル５３、５５を固締するように設けられる。リングを取り付けたピンを備える急速解放手段はハンドル５３、５５及び短ビーム４９、５１に形成された適切な開口に受容すべく設け得る。
【００５１】
さらに、ブレース１５には、各ブレース１５の長さの実質的に半分の長さに沿って延在するハンドル１５Ａが設けられる。各アーム部分１３の下側部分にもハンドル１３Ａが設けられる。ハンドル１３Ａ及び１５Ａは、アーム部分１３又はブレース１５上にそれぞれ摺動するリブ付きラバープラスチック又はネオプレン製スリーブを備える。
【００５２】
調節可能なクロスバーハンドル５３、５５、調節可能な基体ハンドル３３及び付加的なハンドル１３Ａ、１５Ａは、運動装置３１の使用者が運動装置３１を使用してより広範囲な、両手を相対的に閉じるか又は離隔させるディップ、プルアップ、及び腹筋運動を含む、異なる運動を行えるように、運動装置３１の更なる調節を行うことを可能にする。さらに、運動装置３１は、異なる寸法の使用者が装置３１を使用することができる幾つかの調節を可能にする。
【００５３】
最後に、異なるハンドル配向は異なる難易度で同じ運動を行なうことを可能にする。最後に、運動装置３１は、図５に示すような床に載る基体部分７と共に、通常、使用される。しかしながら、運動装置３１はクロスバー３９及び床に載るハンドル３３を備えた別様の配向で使用可能なことが分かる。これは、運動装置３１が基体部分７と垂直部材３の交差部が最大となるように約９０°に亘って回転し得ることである。これは、基体部分７とそれぞれの垂直部材３との間の角度を運動装置３１が別の配向まで回転された時に該運動装置３１が安定するに十分であるようにすることによって可能にされる。角度は４５°〜９０°が適切であるものと考えられる。運動装置３１の別の配向は、使用者が同じ運動装置３１を使ってさらになお、例えば、脚、及び胸を鍛えるディップ、スクアットを含む運動を実行可能にするために、ハンドル３３、５３、５５、１３Ａ及び１５Ａを再位置決めする。
【図面の簡単な説明】
【００５４】
【図１】本発明による運動装置の構成要素の分解斜視図である。
【図２】組み立てられた状態における図１の運動装置の斜視図である。
【図３】本発明による運動装置の別の実施形態の斜視図である。
【図４】第１状態における運動装置を備えた本発明による運動装置の更に別の実施形態の斜視図である。
【図５】第２状態における図４の運動装置の端面図である。
【符号の説明】
【００５５】
１  運動装置
１´  別の運動装置
３  垂直部材
５  クロスバー
７  水平基体部分
７´  Ｃ字形状基体部分
８  ハンドル
９、１１  端部
１３  アーム部分
１３´  垂直部材
１４  遠位端部
１５  ブレース
１６  ソケット
１７、１８、１９  凹部領域
２０、２１  短ビーム
２２  固定手段
２３  クロスブレース
２５  固定手段
３１  運動装置
３３  ハンドル
３５  プラグ
３７  ソケット
４１、４３  領域
４５、４７  領域
４９、５１  短ビーム
５３、５５  ハンドル
【図１】
2007515971.tif 000003
【図２】
2007515971.tif 000004
【図３】
2007515971.tif 000005
【図４】
2007515971.tif 000006
【図５】
2007515971.tif 000007
【国際調査報告】
2007515971.tif 000008
2007515971.tif 000009